(57)【要約】【課題】画像データを構成する各色の組み合わせと複数のカラーコレクションテーブルとの照合作業を自動的に行うことで、作業者の手間を大幅に削減する画像出力システム、制御装置、画像出力装置、画像出力方法、その方法を実行させるためのプログラム、及び、そのプログラムを記憶した記憶媒体を提供する。【解決手段】制御装置１は、カラーコレクションテーブル作成部１２により作成されたカラーコレクションテーブルに各色版の色名称を対応付ける色版名称登録部１２ａと、その対応付けられた各色版の色名称と格納部１０により受信された画像データを構成する各色版の色名称とを照合するグループ／色版名称照合部１４と、それらが一致した場合に該当するカラーコレクションテーブルに関する情報を画像データ解析加工部１５により作成された色版別の画像ラスターデータに付加してＤＣＰ作成装置２へ送信するＤＣＰ作成装置制御部１６とを備える。【選択図】      図２
2004336122.tif 000002
【特許請求の範囲】
【請求項１】
画像データに基づく画像を、露光条件に関する出力制御情報に従って露光して出力する画像出力装置と、外部装置から受信した画像データに、前記出力制御情報を付加して、前記画像出力装置へ送信する制御装置と、を含む画像出力システムであって、
前記制御装置は、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを複数記憶する記憶手段と、
前記受信した画像データを構成する各色版の色名称に応じた識別情報と、前記記憶手段に記憶された複数のテーブルの各々に付加された各色版の色名称に応じた識別情報とを照合する照合手段と、
前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする画像出力システム。
【請求項２】
画像データに基づく画像を、露光条件に関する出力制御情報に従って露光して出力する画像出力装置と、複数の外部装置から受信した画像データに、前記出力制御情報を付加して、前記画像出力装置へ送信する制御装置と、を含む画像出力システムであって、
前記制御装置は、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを、所定の出力条件に従って複数のグループに分類する分類手段と、
前記分類手段により分類されたテーブルを複数記憶する記憶手段と、
前記複数の外部装置から送信された画像データを格納する複数のフォルダの各々と、前記複数のグループの各々とを対応付けるフォルダ／グループ対応付け手段と、
前記複数の外部装置から送信された画像データを、当該複数の外部装置の各々と対応付けられたフォルダに格納する格納手段と、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、
前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする画像出力システム。
【請求項３】
前記所定の出力条件は、前記画像データが印刷機において印刷される際の印刷用紙の種別であることを特徴とする請求項２記載の画像出力システム。
【請求項４】
外部装置から受信した画像データに基づく画像を、露光条件に関する出力制御情報に従って露光して出力する画像出力装置を含む画像出力システムであって、
前記画像出力装置は、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを複数記憶する記憶手段と、
前記受信した画像データを構成する各色版の色名称に応じた識別情報と、前記記憶手段に記憶された複数のテーブルの各々に付加された各色版の色名称に応じた識別情報とを照合する照合手段と、
前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする画像出力システム。
【請求項５】
複数の外部装置から受信した画像データに基づく画像を、露光条件に関する出力制御情報に従って露光して出力する画像出力装置を含む画像出力システムであって、
前記画像出力装置は、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを、所定の出力条件に従って複数のグループに分類する分類手段と、
前記分類手段により分類されたテーブルを複数記憶する記憶手段と、
前記複数の外部装置から送信された画像データを格納する複数のフォルダの各々と、前記複数のグループの各々とを対応付けるフォルダ／グループ対応付け手段と、
前記複数の外部装置から送信された画像データを、当該複数の外部装置の各々と対応付けられたフォルダに格納する格納手段と、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、
前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする画像出力システム。
【請求項６】
前記所定の出力条件は、前記画像データが印刷機において印刷される際の印刷用紙の種別であることを特徴とする請求項５記載の画像出力システム。
【請求項７】
画像データに基づく画像を、露光条件に関する出力制御情報に従って露光して出力する画像出力装置に対して、外部装置から受信した画像データに、前記出力制御情報を付加して送信する制御装置であって、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを複数記憶する記憶手段と、
前記受信した画像データを構成する各色版の色名称に応じた識別情報と、前記記憶手段に記憶された複数のテーブルの各々に付加された各色版の色名称に応じた識別情報とを照合する照合手段と、
前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする制御装置。
【請求項８】
画像データに基づく画像を、露光条件に関する出力制御情報に従って露光して出力する画像出力装置に対して、複数の外部装置から受信した画像データに、前記出力制御情報を付加して送信する制御装置であって、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを、所定の出力条件に従って複数のグループに分類する分類手段と、
前記分類手段により分類されたテーブルを複数記憶する記憶手段と、
前記複数の外部装置から送信された画像データを格納する複数のフォルダの各々と、前記複数のグループの各々とを対応付けるフォルダ／グループ対応付け手段と、
前記複数の外部装置から送信された画像データを、当該複数の外部装置の各々と対応付けられたフォルダに格納する格納手段と、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、
前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする制御装置。
【請求項９】
前記所定の出力条件は、前記画像データが印刷機において印刷される際の印刷用紙の種別であることを特徴とする請求項８記載の制御装置。
【請求項１０】
外部装置から受信した画像データに基づく画像を、露光条件に関する出力制御情報に従って露光して出力する画像出力装置であって、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを複数記憶する記憶手段と、
前記受信した画像データを構成する各色版の色名称に応じた識別情報と、前記記憶手段に記憶された複数のテーブルの各々に付加された各色版の色名称に応じた識別情報とを照合する照合手段と、
前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする画像出力装置。
【請求項１１】
複数の外部装置から受信した画像データに基づく画像を、露光条件に関する出力制御情報に従って露光して出力する画像出力装置であって、
画像データを構成する各色版の色名称とそれらに対応する出力制御値とを対応付けたテーブルに対して、当該テーブルが対象とする各色版の色名称に応じた識別情報を付加する識別情報付加手段と、
前記識別情報付加手段により前記識別情報が付加されたテーブルを、所定の出力条件に従って複数のグループに分類する分類手段と、
前記分類手段により分類されたテーブルを複数記憶する記憶手段と、
前記複数の外部装置から送信された画像データを格納する複数のフォルダの各々と、前記複数のグループの各々とを対応付けるフォルダ／グループ対応付け手段と、
前記複数の外部装置から送信された画像データを、当該複数の外部装置の各々と対応付けられたフォルダに格納する格納手段と、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、
前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする画像出力装置。
【請求項１２】
前記所定の出力条件は、前記複数のテーブルの各々に対応つけられた、前記画像データが印刷機において印刷される際の印刷用紙の種別であることを特徴とする請求項１１記載の画像出力装置。
【請求項１３】
制御装置において、外部装置から受信した画像データに、露光条件に関する出力制御情報を付加して、画像出力装置へ送信すると共に、前記画像出力装置において、前記画像データに基づく画像を、前記出力制御情報に従って露光して出力する画像出力方法であって、
前記制御装置において、
画像データを構成する各色版の色名称とそれらに対応する出力制御値とを対応付けた複数のテーブルが作成される作成ステップと、
前記複数のテーブルの各々に、当該テーブルが対象とする各色版の色名称に応じた識別情報を付加する識別情報付加ステップと、
前記受信した画像データを構成する各色版の色名称に応じた識別情報と、前記複数のテーブルの各々に付加された各色版の色名称に応じた識別情報とを照合する照合ステップと、
前記照合において、互いの識別情報が一致するものがあった場合に、該当するテーブルに関する情報を前記出力制御情報として前記受信した画像データに付加して、前記画像出力装置へ送信する出力装置制御ステップと、を含むことを特徴とする画像出力方法。
【請求項１４】
制御装置において、外部装置から受信した画像データに、露光条件に関する出力制御情報を付加して、画像出力装置へ送信すると共に、前記画像出力装置において、前記画像データに基づく画像を、前記出力制御情報に従って露光して出力する画像出力方法であって、
前記制御装置において、
画像データを構成する各色版の色名称とそれらに対応する出力制御値とを対応付けた複数のテーブルが作成される作成ステップと、
前記複数のテーブルの各々に、当該テーブルが対象とする各色版の色名称に応じた識別情報を付加する識別情報付加ステップと、
前記識別情報が付加された前記複数のテーブルの各々を、所定の出力条件に従って複数のグループに分類する分類ステップと、
前記複数の外部装置から送信された画像データを格納する複数のフォルダの各々と、前記複数のグループの各々とを対応付けるフォルダ／グループ対応付けステップと、
前記複数の外部装置から送信された画像データを、当該複数の外部装置の各々と対応付けられたフォルダに格納する格納ステップと、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合ステップと、
前記照合において、互いの識別情報が一致するものがあった場合に、該当するテーブルに関する情報を前記出力制御情報として前記受信した画像データに付加して、前記画像出力装置へ送信する出力装置制御ステップと、を含むことを特徴とする画像出力方法。
【請求項１５】
前記所定の出力条件は、前記画像データが印刷機において印刷される際の印刷用紙の種別であることを特徴とする請求項１４記載の画像出力方法。
【請求項１６】
画像出力装置において、外部装置から受信した画像データに基づく画像を、露光条件に関する出力制御情報に従って露光して出力する画像出力方法であって、
画像データを構成する各色版の色名称とそれらに対応する出力制御値とを対応付けた複数のテーブルが作成される作成ステップと、
前記複数のテーブルの各々に、当該テーブルが対象とする各色版の色名称に応じた識別情報を付加する識別情報付加ステップと、
前記受信した画像データを構成する各色版の色名称に応じた識別情報と、前記複数のテーブルの各々に付加された各色版の色名称に応じた識別情報とを照合する照合ステップと、
前記照合において、互いの識別情報が一致するものがあった場合に、該当するテーブルに関する情報を前記出力制御情報として、前記画像データに基づく画像を露光して出力する画像出力ステップと、を含むことを特徴とする画像出力方法。
【請求項１７】
画像出力装置において、複数の外部装置から受信した画像データに基づく画像を、露光条件に関する出力制御情報に従って露光して出力する画像出力方法であって、
画像データを構成する各色版の色名称とそれらに対応する出力制御値とを対応付けた複数のテーブルが作成される作成ステップと、
前記複数のテーブルの各々に、当該テーブルが対象とする各色版の色名称に応じた識別情報を付加する識別情報付加ステップと、
前記識別情報が付加された前記複数のテーブルの各々を、所定の出力条件に従って複数のグループに分類する分類ステップと、
前記複数の外部装置から送信された画像データを格納する複数のフォルダの各々と、前記複数のグループの各々とを対応付けるフォルダ／グループ対応付けステップと、
前記複数の外部装置から送信された画像データを、当該複数の外部装置の各々と対応付けられたフォルダに格納する格納ステップと、
前記フォルダに格納された画像データを構成する各色版の色名称に応じた識別情報と、前記フォルダに対応付けられたグループに分類されるテーブルの各々が対象とする各色版の色名称に応じた識別情報とを照合する照合ステップと、
前記照合において、互いの識別情報が一致するものがあった場合に、該当するテーブルに関する情報を前記出力制御情報として、前記画像データに基づく画像を露光して出力する画像出力ステップと、を含むことを特徴とする画像出力方法。
【請求項１８】
前記所定の出力条件は、前記画像データが印刷機において印刷される際の印刷用紙の種別であることを特徴とする請求項１７記載の画像出力方法。
【請求項１９】
請求項１３乃至請求項１８の何れか一項に記載の画像出力方法をコンピュータにおいて実行させることを特徴とするプログラム。
【請求項２０】
請求項１９記載のプログラムをコンピュータにより読み出し可能に記録したことを特徴とする記録媒体。
【発明の詳細な説明】
【０００１】
【発明の属する技術分野】
本発明は、画像出力システム、制御装置、画像出力装置、画像出力方法、その方法を実行させるためのプログラム、及び、そのプログラムを記憶した記憶媒体に関し、特に、波長の異なる複数の光源によって感光材料を感光させることで、印刷物の仕上がりを事前に確認するためのカラープルーフを作成するものに関する。
【０００２】
【従来の技術】
従来から、印刷機により印刷される印刷物の仕上がりを事前にシミュレートする目的で、カラープルーフを作成するＤＣＰ（Ｄｉｇｉｔａｌ  Ｃｏｌｏｒ  Ｐｒｏｏｆ）作成装置が提案されている。このようなＤＣＰ作成装置の中には、外部より入力された各色分解原稿の網点画像データに基づいて、感光材料に、例えばＲ（レッド）／Ｇ（グリーン）／Ｂ（ブルー）等の波長の異なる複数の光の組み合わせから成る光点を露光して、Ｙ（イエロー）／Ｍ（マゼンタ）／Ｃ（シアン）／Ｋ（ブラック）等の各色を発色させるものがある（例えば、特許文献１参照）。
【０００３】
このＤＣＰ作成装置においては、予め、感光材料に表現するＹ／Ｍ／Ｃ／Ｋ等の各色と、当該装置の露光光源の各色であるＲ／Ｇ／Ｂの光量値とを対応付けたルックアップテーブル（以下、カラーコレクションテーブルと称する）を複数記憶しており、各色分解原稿の網点画像データが入力された場合には、作業者が、その画像データを構成する各色と、これらのカラーコレクションテーブルを構成する各色とを照合して、一致するカラーコレクションテーブルを指定することで、当該装置においては、指定されたカラーコレクションテーブルに従って露光を行い、各色を発色させて、感光材料上に各色分解原稿の網点画像データに基づく画像を出力する。
【０００４】
しかしながら、実際の印刷物においては、「特色（スポットカラー）」と呼ばれるＹ、Ｍ、Ｃ、Ｋ以外の色を用いて印刷が行われることがある。さらには、状況に応じて、その都度、インクの調合が行われる現状もある。
【０００５】
【特許文献１】
特開２００２‐３２３７５４号公報
（段落〔００３２〕‐〔０１１９〕、第１図乃至第２０図）
【０００６】
【発明が解決しようとする課題】
このようなことを鑑みるに、ＤＣＰ作成装置においては、これらに対応しようとする場合には、予め、膨大な数のカラーコレクションテーブルを記憶しておく必要があり、その搭載にかかる手間は大変なものになる。また、例え搭載したとしても、実際の出力処理にあたっては、画像データに含まれる各色の組み合わせと、膨大な数のカラーコレクションテーブルとの照合作業を人手によって行うことになるため、作業者にとっては大きな負担になる。
【０００７】
本発明は、上記事情に鑑みてなされたものであり、その目的とするところは、画像データに含まれる各色の組み合わせと複数のカラーコレクションテーブルとの照合作業を自動的に行うことで、作業者の手間を大幅に削減することのできる画像出力システム、制御装置、画像出力装置、画像出力方法、その方法を実行させるためのプログラム、及び、そのプログラムを記憶した記憶媒体を提供することにある。
【０００８】
【課題を解決するための手段】
上記課題を解決するために、請求項１記載の発明は、画像データに基づく画像を、露光条件に関する出力制御情報に従って露光して出力する画像出力装置と、外部装置から受信した画像データに、前記出力制御情報を付加して、前記画像出力装置へ送信する制御装置と、を含む画像出力システムであって、前記制御装置は、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを複数記憶する記憶手段と、前記受信した画像データを構成する各色版の色名称に応じた識別情報と、前記記憶手段に記憶された複数のテーブルの各々に付加された各色版の色名称に応じた識別情報とを照合する照合手段と、前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする。
【０００９】
上記課題を解決するために、請求項２記載の発明は、画像データに基づく画像を、露光条件に関する出力制御情報に従って露光して出力する画像出力装置と、複数の外部装置から受信した画像データに、前記出力制御情報を付加して、前記画像出力装置へ送信する制御装置と、を含む画像出力システムであって、前記制御装置は、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを、所定の出力条件に従って複数のグループに分類する分類手段と、前記分類手段により分類されたテーブルを複数記憶する記憶手段と、前記複数の外部装置から送信された画像データを格納する複数のフォルダの各々と、前記複数のグループの各々とを対応付けるフォルダ／グループ対応付け手段と、前記複数の外部装置から送信された画像データを、当該複数の外部装置の各々と対応付けられたフォルダに格納する格納手段と、前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする。
【００１０】
上記課題を解決するために、請求項４記載の発明は、外部装置から受信した画像データに基づく画像を、露光条件に関する出力制御情報に従って露光して出力する画像出力装置を含む画像出力システムであって、前記画像出力装置は、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを複数記憶する記憶手段と、前記受信した画像データを構成する各色版の色名称に応じた識別情報と、前記記憶手段に記憶された複数のテーブルの各々に付加された各色版の色名称に応じた識別情報とを照合する照合手段と、前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする。
【００１１】
上記課題を解決するために、請求項５記載の発明は、複数の外部装置から受信した画像データに基づく画像を、露光条件に関する出力制御情報に従って露光して出力する画像出力装置を含む画像出力システムであって、前記画像出力装置は、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを、所定の出力条件に従って複数のグループに分類する分類手段と、前記分類手段により分類されたテーブルを複数記憶する記憶手段と、前記複数の外部装置から送信された画像データを格納する複数のフォルダの各々と、前記複数のグループの各々とを対応付けるフォルダ／グループ対応付け手段と、前記複数の外部装置から送信された画像データを、当該複数の外部装置の各々と対応付けられたフォルダに格納する格納手段と、前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする。
【００１２】
上記課題を解決するために、請求項７記載の発明は、画像データに基づく画像を、露光条件に関する出力制御情報に従って露光して出力する画像出力装置に対して、外部装置から受信した画像データに、前記出力制御情報を付加して送信する制御装置であって、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを複数記憶する記憶手段と、前記受信した画像データを構成する各色版の色名称に応じた識別情報と、前記記憶手段に記憶された複数のテーブルの各々に付加された各色版の色名称に応じた識別情報とを照合する照合手段と、前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする。
【００１３】
上記課題を解決するために、請求項８記載の発明は、画像データに基づく画像を、露光条件に関する出力制御情報に従って露光して出力する画像出力装置に対して、複数の外部装置から受信した画像データに、前記出力制御情報を付加して送信する制御装置であって、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを、所定の出力条件に従って複数のグループに分類する分類手段と、前記分類手段により分類されたテーブルを複数記憶する記憶手段と、前記複数の外部装置から送信された画像データを格納する複数のフォルダの各々と、前記複数のグループの各々とを対応付けるフォルダ／グループ対応付け手段と、前記複数の外部装置から送信された画像データを、当該複数の外部装置の各々と対応付けられたフォルダに格納する格納手段と、前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、前記照合手段による照合において、互いの識別情報が一致するものがあった場合に、該当するテーブルに関する情報を前記出力制御情報として前記受信した画像データに付加して、前記画像出力装置へ送信する出力装置制御手段と、を備えたことを特徴とする。
【００１４】
上記課題を解決するために、請求項１０記載の発明は、外部装置から受信した画像データに基づく画像を、露光条件に関する出力制御情報に従って露光して出力する画像出力装置であって、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを複数記憶する記憶手段と、前記受信した画像データを構成する各色版の色名称に応じた識別情報と、前記記憶手段に記憶された複数のテーブルの各々に付加された各色版の色名称に応じた識別情報とを照合する照合手段と、前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする。
【００１５】
上記課題を解決するために、請求項１１記載の発明は、複数の外部装置から受信した画像データに基づく画像を、露光条件に関する出力制御情報に従って露光して出力する画像出力装置であって、画像データを構成する各色版の色名称とそれらに対応する出力制御値とを対応付けたテーブルに対して、当該テーブルが対象とする各色版の色名称に応じた識別情報を付加する識別情報付加手段と、前記識別情報付加手段により前記識別情報が付加されたテーブルを、所定の出力条件に従って複数のグループに分類する分類手段と、前記分類手段により分類されたテーブルを複数記憶する記憶手段と、前記複数の外部装置から送信された画像データを格納する複数のフォルダの各々と、前記複数のグループの各々とを対応付けるフォルダ／グループ対応付け手段と、前記複数の外部装置から送信された画像データを、当該複数の外部装置の各々と対応付けられたフォルダに格納する格納手段と、前記フォルダに格納された画像データを構成する各色版の色名称に応じた識別情報と、前記フォルダに対応付けられたグループに分類されるテーブルの各々が対象とする各色版の色名称に応じた識別情報とを照合する照合手段と、前記照合手段による照合において、互いの識別情報が一致するものがあった場合に、該当するテーブルに関する情報を前記出力制御情報として、前記画像データに基づく画像を露光して出力する画像出力手段と、を備えたことを特徴とする。
【００１６】
上記課題を解決するために、請求項１３記載の発明は、制御装置において、外部装置から受信した画像データに、露光条件に関する出力制御情報を付加して、画像出力装置へ送信すると共に、前記画像出力装置において、前記画像データに基づく画像を、前記出力制御情報に従って露光して出力する画像出力方法であって、前記制御装置において、画像データを構成する各色版の色名称とそれらに対応する出力制御値とを対応付けた複数のテーブルが作成される作成ステップと、前記複数のテーブルの各々に、当該テーブルが対象とする各色版の色名称に応じた識別情報を付加する識別情報付加ステップと、前記受信した画像データを構成する各色版の色名称に応じた識別情報と、前記複数のテーブルの各々に付加された各色版の色名称に応じた識別情報とを照合する照合ステップと、前記照合において、互いの識別情報が一致するものがあった場合に、該当するテーブルに関する情報を前記出力制御情報として前記受信した画像データに付加して、前記画像出力装置へ送信する出力装置制御ステップと、を含むことを特徴とする。
【００１７】
上記課題を解決するために、請求項１４記載の発明は、制御装置において、外部装置から受信した画像データに、露光条件に関する出力制御情報を付加して、画像出力装置へ送信すると共に、前記画像出力装置において、前記画像データに基づく画像を、前記出力制御情報に従って露光して出力する画像出力方法であって、前記制御装置において、画像データを構成する各色版の色名称とそれらに対応する出力制御値とを対応付けた複数のテーブルが作成される作成ステップと、前記複数のテーブルの各々に、当該テーブルが対象とする各色版の色名称に応じた識別情報を付加する識別情報付加ステップと、前記識別情報が付加された前記複数のテーブルの各々を、所定の出力条件に従って複数のグループに分類する分類ステップと、前記複数の外部装置から送信された画像データを格納する複数のフォルダの各々と、前記複数のグループの各々とを対応付けるフォルダ／グループ対応付けステップと、前記複数の外部装置から送信された画像データを、当該複数の外部装置の各々と対応付けられたフォルダに格納する格納ステップと、前記フォルダに格納された画像データを構成する各色版の色名称に応じた識別情報と、前記フォルダに対応付けられたグループに分類されるテーブルの各々が対象とする各色版の色名称に応じた識別情報とを照合する照合ステップと、前記照合において、互いの識別情報が一致するものがあった場合に、該当するテーブルに関する情報を前記出力制御情報として前記受信した画像データに付加して、前記画像出力装置へ送信する出力装置制御ステップと、を含むことを特徴とする。
【００１８】
上記課題を解決するために、請求項１６記載の発明は、画像出力装置において、外部装置から受信した画像データに基づく画像を、露光条件に関する出力制御情報に従って露光して出力する画像出力方法であって、画像データを構成する各色版の色名称とそれらに対応する出力制御値とを対応付けた複数のテーブルが作成される作成ステップと、前記複数のテーブルの各々に、当該テーブルが対象とする各色版の色名称に応じた識別情報を付加する識別情報付加ステップと、前記受信した画像データを構成する各色版の色名称に応じた識別情報と、前記複数のテーブルの各々に付加された各色版の色名称に応じた識別情報とを照合する照合ステップと、前記照合において、互いの識別情報が一致するものがあった場合に、該当するテーブルに関する情報を前記出力制御情報として、前記画像データに基づく画像を露光して出力する画像出力ステップと、を含むことを特徴とする。
【００１９】
上記課題を解決するために、請求項１７記載の発明は、画像出力装置において、複数の外部装置から受信した画像データに基づく画像を、露光条件に関する出力制御情報に従って露光して出力する画像出力方法であって、画像データを構成する各色版の色名称とそれらに対応する出力制御値とを対応付けた複数のテーブルが作成される作成ステップと、前記複数のテーブルの各々に、当該テーブルが対象とする各色版の色名称に応じた識別情報を付加する識別情報付加ステップと、前記識別情報が付加された前記複数のテーブルの各々を、所定の出力条件に従って複数のグループに分類する分類ステップと、前記複数の外部装置から送信された画像データを格納する複数のフォルダの各々と、前記複数のグループの各々とを対応付けるフォルダ／グループ対応付けステップと、前記複数の外部装置から送信された画像データを、当該複数の外部装置の各々と対応付けられたフォルダに格納する格納ステップと、前記フォルダに格納された画像データを構成する各色版の色名称に応じた識別情報と、前記フォルダに対応付けられたグループに分類されるテーブルの各々が対象とする各色版の色名称に応じた識別情報とを照合する照合ステップと、前記照合において、互いの識別情報が一致するものがあった場合に、該当するテーブルに関する情報を前記出力制御情報として、前記画像データに基づく画像を露光して出力する画像出力ステップと、を含むことを特徴とする。
【００２０】
上記課題を解決するために、請求項１９記載の発明は、請求項１３乃至請求項１８の何れか一項に記載の画像出力方法をコンピュータにおいて実行させることを特徴とする。
【００２１】
上記課題を解決するために、請求項２０記載の発明は、請求項１９記載のプログラムをコンピュータにより読み出し可能に記録したことを特徴とする。
【００２２】
【発明の実施の形態】
以下、本発明に係る画像出力システム、制御装置、画像出力装置、画像出力方法、その方法を実行させるためのプログラム、及び、そのプログラムを記憶した記憶媒体の一実施形態について、図面を参照しながら詳細に説明する。
【００２３】
［画像出力システム］
まず、本実施形態における画像出力システムのシステム構成及び概略動作について、図１を参照しつつ説明する。
【００２４】
＜システム構成＞
図１に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の加工処理を行った後、これを出力制御情報（後述するカラーコレクションテーブルに関する情報等）と共に画像出力装置であるＤＣＰ作成装置２に送信する制御装置１と、この制御装置１から送信された画像データに基づく画像を出力制御情報に従って出力するＤＣＰ作成装置２とから構成されている。尚、これらはネットワークＮを介して接続されている。因みに、ＲＩＰ４は、制御装置１に組み込まれた構成としても良く、また、ＤＣＰ作成装置２は、複数が設けられる構成としても良い。
【００２５】
制御装置１及び画像データ編集端末３は、各々、コンピュータターミナル（端末装置）として動作するものであって、制御装置１は、コンピュータ本体、キーボード、表示部等を備え、後述する種々の処理を実行する所定の動作プログラムが組み込まれている。また、画像データ編集端末３は、コンピュータ本体、キーボード、表示部、イメージスキャナ等の必要な画像入力機器を備えている。
【００２６】
＜概略動作＞
このような構成において、制御装置１は、画像データ編集端末３やＲＩＰ４から送信された画像データを予め設定された出力条件に従って解析加工した後、これを出力制御情報と共にＤＣＰ作成装置２に送信する。因みに、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがある。また、上述の出力条件は、制御装置１において画像データ自体を加工して反映させる他にも、出力条件を別途通知しておき、ＤＣＰ作成装置２においてその設定を反映させる方法がある。画像データが送信されたＤＣＰ作成装置２においては、制御装置１から送信された画像データに基づく画像を出力制御情報に従って出力する。これにより、所定のカラープルーフが作成される。
【００２７】
［制御装置］
次に、当該画像出力システムを構成する制御装置１の詳細構成及び詳細動作について、図２、図４乃至図６を参照しつつ、図３及び図７に示すフローチャートの流れに沿って説明する。
【００２８】
＜詳細構成＞
図２に示すように、制御装置１は、画像データ編集端末３やＲＩＰ４から送信された画像データを受信して、これをその送信先である端末（画像データ編集端末３やＲＩＰ４）と対応付けられた所定のホットフォルダに格納する格納部１０と、このホットフォルダと後述するグループとを対応付けるためのグループ指定部１１と、カラーコレクションテーブルを作成するための手段であり、カラーコレクションテーブルを構成する各色版の色名称を、各色版の色名称に応じた識別情報として登録するための色版名称登録部１２ａと、そのカラーコレクションテーブルが属するグループを設定するためのグループ設定部１２ｂとを有するカラーコレクション作成部１２と、作成されたカラーコレクションテーブルを各種設定情報と共に記憶するカラーコレクションテーブル記憶部１３と、画像データが格納されたホットフォルダに対応付けられるグループと、カラーコレクションテーブル記憶部１３に記憶されたカラーコレクションテーブル群のグループ群とを照合して、一致するグループに属するカラーコレクションテーブル群を抽出し、さらに、格納部１０において格納された画像データを構成する各色版の色名称と、抽出したカラーコレクションテーブル群が対象とする各色版の色名称とを照合して、互いの色名称が一致するカラーコレクションテーブルを抽出するグループ／色版名称照合部１４と、格納部１０において格納された画像データを解析加工して、色版別の画像ラスターデータを作成する手段である画像データ解析加工部１５と、この画像データ解析加工部１５において作成された色版別の画像ラスターデータと、グループ／色版名称照合部１４によって抽出されたカラーコレクションテーブルとを出力指示信号と共にＤＣＰ作成装置２に送信する手段であるＤＣＰ作成装置制御部１６とから構成されている。
【００２９】
尚、格納部１０は、本発明の「格納手段」に対応する。また、グループ指定部１１は、本発明の「フォルダ／グループ対応付け手段」に対応する。また、色版名称登録部１２ａは、本発明の「識別情報付加手段」に対応する。また、グループ設定部１２ｂは、本発明の「分類手段」に対応する。また、カラーコレクション記憶部１３は、本発明の「記憶手段」に対応する。また、グループ／色版名称照合部１４は、本発明の「照合手段」に対応する。また、ＤＣＰ作成装置制御部１６は、本発明の「出力装置制御手段」に対応する。
【００３０】
＜詳細動作＞
図３に示すように、このような構成において、作業者は、事前準備として、カラーコレクションテーブル作成部１２のグループ設定部１２ｂにより、新規のグループを設定する操作を行う（Ｓ０１）。
【００３１】
図４に、このグループ設定部１２ｂによりグループの設定を行う際の画面の流れを説明する画面表示構成図を示す。尚、グループ設定部１２ｂは、ＣＰＵ等の演算手段と、所定の演算プログラムを記憶するメモリ等の記憶手段からなり、後述する種々の画面表示に関する処理、及び、グループの設定に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００３２】
図４に示すように、表示部には、通常、プリンタコントローラメイン画面１Ａが表示されている。このプリンタコントローラメイン画面１Ａでは、当該画像出力システムにおける各ジョブの処理状況が一覧表示され、例えば画像データ解析加工部１５によるＲＩＰ処理待ちのジョブ名称、画像データ解析加工部１５によるＲＩＰ処理が終了したＲＩＰ処理済みのジョブ名称、ＤＣＰ作成装置制御部１６による出力処理が終了した出力処理済みのジョブ名称等が表示される。
【００３３】
作業者は、このプリンタコントローラメイン画面１Ａにおいて、キーボード等の操作により、カラコレマネージャ項目１Ａａを選択することで、同図に示すカラーコレクションマネージャ画面１Ｂを表示する。このカラーコレクションマネージャ画面１Ｂでは、カラーコレクションテーブルに関する設定、例えば、カラーコレクションテーブルの新規作成を行うための新規作成項目１Ｂａ、カラーコレクションテーブルの複製を行うための複製項目１Ｂｂ、カラーコレクションテーブルの削除を行うための削除項目１Ｂｃ、カラーコレクションテーブルを分類するグループの条件を編集するためのグループ編集項目１Ｂｄ、カラーコレクションテーブルを構成する色版（カラーコレクションテーブルが対象とする色版）の名称を設定するためのプロパティ項目１Ｂｅ、カラーコレクションテーブルをＤＣＰ作成装置２に登録させるための装置登録項目１Ｂｆと、カラーコレクションテーブルに関する各種情報１Ｂｇ、例えば、対象となるカラーコレクションテーブルのファイル名、グループ名称、対象とする色版の名称、更新時刻、ＤＣＰ作成装置２において登録されているチャンネル名等の情報が一覧表示される。
【００３４】
作業者は、このカラーコレクションマネージャ画面１Ｂにおいて、キーボード等の操作により、グループ編集項目１Ｂｄを選択することで、同図に示すカラーコレクションテーブルのグループリスト画面１Ｃを表示し、このカラーコレクションテーブルのグループリスト画面１Ｃにおいて、キーボード等の操作により、所定のグループ項目を選択することで、同図に示すカラーコレクションテーブルのグループ編集画面１Ｄを表示させる。
【００３５】
このグループ編集画面１Ｄでは、印刷用紙の種別（例えば、上質紙／アート紙／コート紙等）を選択するための印刷用紙の種別項目１Ｄａ、ペーパーの種別（例えば、マット／グロッシー等）を選択するためのペーパー種別項目１Ｄｂ、白地着色の有無を指定する白地着色有無指定項目１Ｄｃ、白地の説明・会社名・用途などグループを規定する文字列を入力するフリーコメント項目１Ｄｄと、当該グループ編集画面１Ｄにおける設定内容を別名称にて保存するための別名保存項目１Ｄｅ、当該グループ編集画面１Ｄにおける設定内容を所定の名称にて保存するための保存項目１Ｄｆ、当該グループ編集画面１Ｄにおける設定内容を取り消すためのキャンセル項目１Ｄｇが表示される。
【００３６】
作業者は、このグループ編集画面１Ｄにおいて、キーボード等の操作により、例えば、印刷用紙の種別項目１Ｄａにおいて、“コート紙”を選択して、ペーパー種別項目１Ｄｂにおいて、“グロッシー”を選択して、白地着色有無指定項目１Ｄｃにおいて、“無し”を指定する。尚、この際に選択される印刷用紙の種別、ペーパー種別、白地着色有無は、何れも、印刷物が印刷機において印刷される際の印刷用紙に対応したものとなっている。さらに、ＤＣＰ作成装置２においては、これらの選択内容に応じて露光条件の調整を行う。これにより、印刷物をより忠実に再現するカラープルーフを作成することができる。
【００３７】
このような作業を行うことにより、グループの設定、即ち、グループの分類条件の設定が行われ、これを繰り返し行うことで、全てのグループに関する設定が完了する（Ｓ０２、Ｙｅｓ）。
【００３８】
（作成ステップ）
図３に示すように、作業者は、次に、カラーコレクションテーブル作成部１２の色版名称登録部１２ａにより、カラーコレクションテーブルを作成する作業を行う（Ｓ０３）。
【００３９】
図４に、この色版名称登録部１２ａにより、カラーコレクションテーブルを作成する際の画面の流れを説明する画面表示構成図を示す。尚、色版名称登録部１２ａは、ＣＰＵ等の演算手段と、所定の演算プログラムを記憶するメモリ等の記憶手段からなり、後述する種々の画面表示に関する処理、及び、カラーコレクションテーブルの作成、当該カラーコレクションテーブルが対象とする各色版の色名称の設定に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００４０】
上述したように、表示部には、通常、プリンタコントローラメイン画面１Ａが表示されている。作業者は、このプリンタコントローラメイン画面１Ａにおいて、キーボード等の操作により、カラコレマネージャ項目１Ａａを選択することで、同図に示すカラーコレクションマネージャ画面１Ｂを表示する。作業者は、さらに、このカラーコレクションマネージャ画面１Ｂにおいて、キーボード等の操作により、新規作成項目１Ｂａを選択することで、同図に示すカラーコレクション調整ツール画面１Ｅを表示する。
【００４１】
作業者は、このカラーコレクション調整ツール画面１Ｅにおいて、感光材料に表現するＹ／Ｍ／Ｃ／Ｂ（Ｍ＋Ｃ）／Ｇ（Ｙ＋Ｃ）／Ｒ（Ｙ＋Ｍ）／Ｋ等の各色版と、これに対応するＤＣＰ作成装置２の露光光源の各色であるＢ／Ｇ／Ｒの光量値を設定することで、図５に示すようなカラーコレクションテーブル１ａを作成する。尚、カラーコレクション調整ツール画面１Ｅは、従来と同様の画面構成であるため、その詳細については省略する。
【００４２】
（識別情報付加ステップ）、（分類ステップ）
作業者は、さらに、カラーコレクションマネージャ画面１Ｂにおいて、キーボード等の操作により、プロパティ項目１Ｂｅを選択することで、同図に示すカラーコレクションテーブルのプロパティ画面１Ｆを表示する。
【００４３】
このカラーコレクションテーブルのプロパティ画面１Ｆでは、作成したカラーコレクションテーブルを何れのグループに属させるかを設定するためのグループ設定項目１Ｆａと、そのカラーコレクションテーブルが対象とする各色版の色名称を表示する色名称表示項目１Ｆｂと、これらを任意に設定するための色名称設定項目１Ｆｃと、当該カラーコレクションテーブルのプロパティ画面１Ｆにおける設定内容を確定するためのＯＫ項目１Ｆｄ、当該カラーコレクションテーブルのプロパティ画面１Ｆにおける設定内容を取り消すためのキャンセル項目１Ｆｅが表示される。因みに、色名称表示項目１Ｆｂに表示される各色版の色名称は、カラーコレクション調整ツール画面１Ｅにおいて入力された正式名称である。また、色名称設定項目１Ｆｃは、実際の運用において使用する色版名称が正式名称と異なる場合に、その色版名称を設定するために利用される。
【００４４】
作業者は、このカラーコレクションテーブルのプロパティ画面１Ｆにおいて、キーボード等の操作により、例えば、グループ設定項目１Ｆａにおいて、“Ｃｌｉｅｎｔ  Ａ（コート・白地無）”とグループ設定して、色名称設定項目１Ｆｃにおいて、“Ｃｙａｎ”、“Ｍａｇｅｎｔａ”、“Ｙｅｌｌｏｗ”、“Ｂｌａｃｋ”、“ＤＩＣ００１Ｏｒａｎｇｅ”、“Ｐｉｎｋ”と各色版の色名称を設定して、ＯＫ項目１Ｆｄを選択することで、その設定内容を確定する。
【００４５】
このような作業を行うことにより、カラーコレクションテーブルの設定、即ち、当該カラーコレクションテーブルの対象とする各色版の色名称の設定、及び、当該カラーコレクションテーブルのグループへの登録が行われる（Ｓ０４）。これを繰り返し行うことで、全てのカラーコレクションテーブルの対象とする各色版の色版名称の設定が完了する（Ｓ０５、Ｙｅｓ）。尚、これらの設定内容に関する情報は、作成されたカラーコレクションテーブルと共にカラーコレクションテーブル記憶部１３に記憶される。
【００４６】
因みに、以上のステップを経たカラーコレクションテーブルをＤＣＰ作成装置２において登録する場合には、作業者は、さらに、カラーコレクションマネージャ画面１Ｂにおいて、キーボード等の操作により、装置登録項目１Ｂｆを選択することで、同図に示すＤＣＰ作成装置への登録画面１Ｈを表示する。
【００４７】
このＤＣＰ作成装置への登録画面１Ｈでは、対象となるカラーコレクションテーブルのファイル名を表示するファイル名表示項目１Ｈａ、グループ名称を表示するグループ名称項目１Ｈｂ、登録するチャンネル名を表示するチャンネル表示項目１Ｈｃと、当該ＤＣＰ作成装置への登録画面１Ｈにおける登録内容を確定して、対象となるカラーコレクションテーブルをＤＣＰ作成装置２において登録するための登録項目１Ｈｄと、当該ＤＣＰ作成装置への登録画面１Ｈにおける登録内容を取り消すためのキャンセル項目１Ｈｅ等を表示する。
【００４８】
作業者は、このＤＣＰ作成装置への登録画面１Ｈにおいて、キーボード等の操作により、例えば、チャンネル表示項目１Ｈｃにおいて、“３”と設定し、登録項目１Ｈｄを選択することで、同図のファイル名表示項目１Ｈａに表示される“ａａａ”というファイル名で、グループ名称項目１Ｈｂに表示される“Ｃｌｉｅｎｔ−Ａ（コート・白地着色無し）”というグループに属するカラーコレクションテーブルをＤＣＰ作成装置２において登録する。尚、このような処理は、ＤＣＰ作成装置制御部１４が、当該カラーコレクションテーブルを、その旨の指示信号と共に送信することで行われる。ＤＣＰ作成装置２においては、受信したカラーコレクションテーブルを記憶部（後述するＬＵＴ部２０５）に登録する処理を行う。
【００４９】
図３に示すように、作業者は、次に、グループ指定部１１により、ホットフォルダを作成する作業を行う（Ｓ０６）。
【００５０】
図６に、このホットフォルダを作成する際の画面の流れを説明する画面表示構成図を示す。尚、グループ指定部１１は、ＣＰＵ等の演算手段と、所定の演算プログラムを記憶するメモリ等の記憶手段からなり、後述する種々の画面表示に関する処理、及び、グループの指定に関する処理を行う。また、後述する種々の設定操作は、キーボードやマウス等の一般的な入力手段を用いて行われる。また、後述する種々の画面は、モニタ等の一般的な表示手段により構成される表示部において表示される。
【００５１】
上述したように、表示部には、通常、プリンタコントローラメイン画面１Ａが表示されている（図４参照）。作業者は、このプリンタコントローラメイン画面１Ａにおいて、キーボード等の操作により、ホットフォルダ項目１Ａｂを選択することで、図６に示すホットフォルダ編集画面１Ｊを表示する。
【００５２】
このホットフォルダ編集画面１Ｊでは、当該ホットフォルダが対象とする、上流端末、即ち、画像データ編集端末３やＲＩＰ４等の名称を表示する端末項目１Ｊａと、画像データのフォーマットを表示するフォーマット項目１Ｊｂと、画像データの入力先、即ち、当該ホットフォルダの格納先を表示する入力先項目１Ｊｃと、画像データを出力するＤＣＰ作成装置２に関する種々の設定を行うためのテンプレート項目１Ｊｄと、当該ホットフォルダと対応付けられるグループ等を表示するカラーコレクション選択項目１Ｊｅと、当該ホットフォルダ編集画面１Ｊにおける設定内容を確定して保存するための保存項目１Ｊｆと、当該ホットフォルダ編集画面１Ｊにおける設定内容を取り消すためのキャンセル項目１Ｊｇ等を表示する。
【００５３】
作業者は、さらに、このホットフォルダ編集画面１Ｊにおいて、キーボード等の操作により、テンプレート項目１Ｊｄの編集項目を選択することで、同図に示すテンプレート画面１Ｋを表示する。
【００５４】
このテンプレート画面１Ｋでは、作成するテンプレートの名称を表示するｓｏｆｔＤＧテンプレート名項目１Ｋａと、テンプレートの各種設定項目、例えば、画像データの出力先を表示する出力機項目１Ｋｂ、出力解像度を表示する出力解像度項目１Ｋｃ、出力フォーマットを表示する出力フォーマット項目１Ｋｄ、網形状を表示する網形状項目１Ｋｅ、網点の列数を表示する線数項目１Ｋｆ、各色版の出力順及び網角度を表示する出力色版項目１Ｋｇと、当該テンプレート画面１Ｋにおける設定内容を確定して保存するための保存項目１Ｋｈと、当該テンプレート画面１Ｋにおける設定内容を取り消すためのキャンセル項目１Ｋｉ等を表示する。
【００５５】
作業者は、このテンプレート画面１Ｋにおいて、キーボード等の操作により、例えば、出力機項目１Ｋｂにおいて、“ＤｉｇｉｋｏｎＰｒｏ”と設定して、出力解像度項目１Ｋｃにおいて、“２４００”と設定して、出力フォーマット項目１Ｋｄにおいて、“Ｐａｃｋ１６ｘ”と設定して、網形状項目１Ｋｅにおいて、“ｓｑｕａｒｅ０１”と設定して、線数項目１Ｋｆにおいて、“１７５”と設定して、出力色版項目１Ｋｇにおいて、Ｃ／Ｍ／Ｙ／Ｋ／特色１／特色２の各網角度を設定して、保存項目１Ｋｈを選択することで、その設定内容を保存する。このような作業を行うことにより、ホットフォルダの設定が行われる。
【００５６】
（フォルダ／グループ対応付けステップ）
作業者は、さらに、ホットフォルダ編集画面１Ｊのカラーコレクション選択項目１Ｊｅにおいて、例えば“ａａａ”と設定することで、当該ホットフォルダとａａａという名称のグループとを対応付ける（Ｓ０７）。
【００５７】
これを繰り返し行うことで、必要なホットフォルダの設定が完了する（Ｓ０８、Ｙｅｓ）。
【００５８】
（格納ステップ）
図７に示すように、このような事前準備が行われた上で、画像データ編集端末３やＲＩＰ４から画像データが送信されると、格納部１０は、これを受信して、その画像データの送信先である端末（画像データ編集端末３やＲＩＰ４）と対応付けられた所定のホットフォルダに格納する（Ｓ１０）。尚、画像データには、当該画像データを構成する各色版の色名称に関する情報が付加されており、この際に、画像データを構成する各色版の色名称が取得される（Ｓ１１）。
【００５９】
次に、グループ／色版名称照合部１４は、画像データが格納されたホットフォルダに対応付けられるグループと、カラーコレクションテーブル記憶部１３に記憶されたカラーコレクションテーブル群のグループ群とを照合して、一致するグループに属するカラーコレクションテーブル群を抽出する。さらに、格納部１０において格納された画像データを構成する各色版の色名称と、抽出したカラーコレクションテーブル群が対象とする各色版の色名称とを照合して、互いの色名称が一致するカラーコレクションテーブルを抽出する（Ｓ１２）。グループ／色版名称照合部１４は、さらに、特定されたカラーコレクションテーブルが当該ホットフォルダと対応付けられたＤＣＰ作成装置２において登録されているか否かを判断する（Ｓ１３）。ここで、登録されていた場合には（Ｓ１３、Ｙｅｓ）、そのカラーコレクションテーブルを指定するための信号をＤＣＰ作成装置制御部１６に送信する（Ｓ１４）。また、登録されていなかった場合には（Ｓ１３、Ｎｏ）、特定されたカラーコレクションテーブルに関する情報をＤＣＰ作成装置制御部１６に送信する（Ｓ１５）。一方、画像データ解析加工部１５は、格納部１０において格納された画像データを解析加工して、色版別の画像ラスターデータを作成すると共に（Ｓ１６）、その色版別の画像ラスターデータをＤＣＰ作成装置制御部１６に送信する。
【００６０】
尚、格納部１０は、ＣＰＵ等の演算手段と、所定の演算プログラムを記憶するメモリ等の第１の記憶手段と、所定のフォルダ群を記憶するハードディスク等の第２の記憶手段からなり、上述した画像データの所定のホットフォルダへの格納処理を行う。また、グループ／色版名称照合部１４は、ＣＰＵ等の演算手段と、所定の演算プログラムを記憶するメモリ等の記憶手段からなり、上述したグループの照合処理、各色版の色名称の照合処理、特定されたカラーコレクションテーブルに関する情報をＤＣＰ作成装置制御部１６に送信する処理等を行う。
【００６１】
（出力装置制御ステップ）
ＤＣＰ作成装置制御部１６は、この画像データ解析加工部１５から送信された色版別の画像ラスターデータと、グループ／色版名称照合部１４から送信されたカラーコレクションテーブルを指定するための信号、或いは、カラーコレクションテーブルに関する情報とを出力指示信号と共にＤＣＰ作成装置２に送信する（Ｓ１７）。
【００６２】
尚、以上に説明した種々の画面の表示形態は、これに限定されるものではなく、他の形態にすることも当然に可能である。
【００６３】
［ＤＣＰ作成装置］
次に、当該画像出力システムを構成するＤＣＰ作成装置２の詳細構成及び詳細動作について、図８及び図９を参照しつつ説明する。
【００６４】
＜詳細構成＞
図８に示すように、ＤＣＰ作成装置２は、主に、感光材料上に画像を露光するための露光部３３と、露光された感光材料を現像処理するための処理部３４とから構成されている。
【００６５】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００６６】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００６７】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００６８】
図９に、ＤＣＰ作成装置２の制御構成を示す。図９に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、検出系を構成するセンサ類１０６及び駆動系を構成するアクチュエータ群１０７に接続され、センサ類１０６からの情報に基づいてアクチュエータ群１０７を制御するように構成されている。
【００６９】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【００７０】
さらに、ＤＣＰ作成装置２は、制御装置１から送信されるズラシ処理が施された色版別の画像ラスターデータと出力指示信号を受信する画像データＩ／Ｆ部２０１を備えている。画像データＩ／Ｆ部２０１は、この各色（Ｃ、Ｍ、Ｙ、Ｋ、特色１、特色２等）のラスターイメージフォーマットの網点画像データを、例えば各色１０本の走査線毎（各色１０のチャンネル毎）の露光用フォーマットに変換し、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光、即ち、マルチ露光を行う。
【００７１】
この際、画素クロック生成部２０３は、ＰＬＬ２０２からの出力に同期させて画素クロックを生成する。そして、この画素クロックにてデータバッファ２０４からデジタル網点画像データを読み出して、これをＬＵＴ部２０５に送信する。
【００７２】
ＬＵＴ部２０５は、印刷の基準色となるＣ、Ｍ、Ｙ、Ｋ、特色１、特色２等と、これらを感光材料上に露光する光源の光強度、例えばＢ（ブルー）、Ｒ（レッド）、Ｇ（グリーン）光の強度組成との対応を規定するＬＵＴ（ルックアップテーブル）データを記憶している。そして、送られた露光用フォーマットのＣ、Ｍ、Ｙ、Ｋのデジタル網点画像データをＢ、Ｒ、Ｇの露光強度データに変換する。その際、画素毎に、印刷物のＣ、Ｍ、Ｙ、Ｋの網点画像データをＢ、Ｒ、Ｇのレーザ強度の組み合わせに変換する。
【００７３】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【００７４】
このような制御の基、ドラムに保持される感光材料に対する網点画像の出力が行われる。その結果、感光材料上、即ち、カラープルーフ上には、所定の画像が描画される。これにより、印刷物の仕上がりを事前に確認することができる。
【００７５】
［画像出力システムの他の構成］
次に、本発明に係る画像出力システムの他の実施形態におけるシステム構成及び概略動作について、図１０を参照しつつ説明する。尚、本実施形態における画像出力システムは、上述した画像出力システムの制御装置１における一連の処理（例えば、図３に示す（作成ステップ）〜（フォルダ／グループ対応付けステップ）、及び、図７に示す（照合ステップ）等）を行う機能がＤＣＰ作成装置自体に備えられるものである。
【００７６】
従って、当該ＤＣＰ作成装置における一連の処理において、その際に当該ＤＣＰ作成装置の表示部に表示される種々の画面の表示態様に関して、また、当該ＤＣＰ作成装置の画像出力処理に関しては、何れも上述した画像出力システムにおける場合と同様であるため、ここでの説明は省略する。
【００７７】
＜システム構成＞
図１０に示すように、当該画像出力システムは、上流端末、即ち、画像データ編集端末３やＲＩＰ４から送信された画像データに所定の加工処理を行った後、これを所定のカラーコレクションテーブルに従って露光して出力するＤＣＰ作成装置２ａを含み構成されている。因みに、ＲＩＰ４は、制御装置１に組み込まれた構成としても良く、ＤＣＰ作成装置２ａは、複数が設けられても良い。尚、これらはネットワークＮを介して互いに接続されている。
【００７８】
＜概略動作＞
このような構成において、ＤＣＰ作成装置２ａは、画像データ編集端末３やＲＩＰ４から送信された画像データを、予め設定された出力条件に従って解析加工した後、所定のカラーコレクションテーブルに従って露光して出力する。これにより、カラープルーフが作成される。
【００７９】
［ＤＣＰ作成装置の構成］
次に、当該画像出力システムを構成するＤＣＰ作成装置２ａの詳細構成及び詳細動作について、図１１及び図１２を参照しつつ説明する。
【００８０】
＜詳細構成＞
図１１及び図１２に、ＤＣＰ作成装置２ａの制御構成を示す。ＤＣＰ作成装置２ａは、図１１に示すように、従来のＤＣＰ作成装置としての機能を構成する第１の制御構成部と、図１２に示すように、上述した画像出力システムにおける制御装置１の一連の処理（例えば、図３に示す（作成ステップ）〜（フォルダ／グループ対応付けステップ）、及び、図７に示す（照合ステップ）等）を行う機能を構成する第２の制御構成部とから構成されている。尚、図１２に示す第２の制御構成部は、図１１に示す第１の制御構成部の画像データ処理部２１０に対応するものであり、画像データＩ／Ｆ部２０１において受信された画像データは、画像データ処理部２１０の格納部２０に送信される。
【００８１】
＜詳細動作＞
このような構成において、作業者は、事前準備として、カラーコレクションテーブル作成部２２のグループ設定部２２ｂにより、新規のグループを設定する操作を行う。尚、グループ設定部２２ｂは、ＣＰＵ等の演算手段と、所定の演算プログラムを記憶するメモリ等の記憶手段からなり、後述する種々の画面表示に関する処理、及び、グループの設定に関する処理を行う。因みに、これら演算手段及び記憶手段は、第１の制御構成部におけるＣＰＵ１０１及びＲＯＭ１０３にて構成しても良い。また、後述する種々の設定操作は、キーボードやマウス等の一般的な入力手段を用いて行われる。また、後述する種々の画面は、モニタ等の一般的な表示手段により構成される表示部において表示される。因みに、これらの操作及び表示は、第１の制御構成部におけるタッチパネル４２において行われる構成としても良い。
【００８２】
図４に示すように、表示部には、通常、プリンタコントローラメイン画面１Ａが表示されている。作業者は、このプリンタコントローラメイン画面１Ａにおいて、キーボード等の操作により、カラコレマネージャ項目１Ａａを選択することで、同図に示すカラーコレクションマネージャ画面１Ｂを表示する。
【００８３】
作業者は、さらに、このカラーコレクションマネージャ画面１Ｂにおいて、キーボード等の操作により、グループ編集項目１Ｂｄを選択することで、同図に示すカラーコレクションテーブルのグループリスト画面１Ｃを表示して、このカラーコレクションテーブルのグループリスト画面１Ｃにおいて、キーボード等の操作により、所定のグループ項目を選択することで、同図に示すカラーコレクションテーブルのグループ編集画面１Ｄを表示させる。
【００８４】
作業者は、このグループ編集画面１Ｄにおいて、キーボード等の操作により、例えば、印刷用紙の種別項目１Ｄａにおいて、“コート紙”を選択して、ペーパー種別項目１Ｄｂにおいて、“グロッシー”を選択して、白地着色有無指定項目１Ｄｃにおいて、“無し”を指定する。このような作業を行うことにより、グループの設定、即ち、グループの分類条件の設定が行われ、これを繰り返し行うことで、全てのグループに関する設定が完了する。
【００８５】
作業者は、次に、カラーコレクションテーブル作成部２２の色版名称登録部２２ａにより、カラーコレクションテーブルを作成する作業を行う。尚、色版名称登録部２２ａは、ＣＰＵ等の演算手段と、所定の演算プログラムを記憶するメモリ等の記憶手段からなり、後述する種々の画面表示に関する処理、及び、カラーコレクションテーブルの作成、当該カラーコレクションテーブルが対象とする各色版の色名称の設定に関する処理を行う。因みに、これら演算手段及び記憶手段は、第１の制御構成部におけるＣＰＵ１０１及びＲＯＭ１０３にて構成しても良い。また、後述する種々の設定操作は、キーボードやマウス等の一般的な入力手段を用いて行われる。また、後述する種々の画面は、モニタ等の一般的な表示手段により構成される表示部において表示される。因みに、これらの操作及び表示は、第１の制御構成部におけるタッチパネル４２において行われる構成としても良い。
【００８６】
上述したように、表示部には、通常、プリンタコントローラメイン画面１Ａが表示されている（図４参照）。作業者は、このプリンタコントローラメイン画面１Ａにおいて、キーボード等の操作により、カラコレマネージャ項目１Ａａを選択することで、同図に示すカラーコレクションマネージャ画面１Ｂを表示する。作業者は、さらに、このカラーコレクションマネージャ画面１Ｂにおいて、キーボード等の操作により、新規作成項目１Ｂａを選択することで、同図に示すカラーコレクション調整ツール画面１Ｅを表示する。
【００８７】
作業者は、このカラーコレクション調整ツール画面１Ｅにおいて、感光材料に表現するＹ／Ｍ／Ｃ／Ｂ（Ｍ＋Ｃ）／Ｇ（Ｙ＋Ｃ）／Ｒ（Ｙ＋Ｍ）／Ｋ等の各色版と、これに対応する当該ＤＣＰ作成装置２ａの露光光源の各色であるＢ／Ｇ／Ｒの光量値を設定することで、図５に示すようなカラーコレクションテーブル１ａを作成する。尚、カラーコレクション調整ツール画面１Ｅは、従来と同様の画面構成であるため、その詳細については省略する。
【００８８】
作業者は、さらに、カラーコレクションマネージャ画面１Ｂにおいて、キーボード等の操作により、プロパティ項目１Ｂｅを選択することで、同図に示すカラーコレクションテーブルのプロパティ画面１Ｆを表示する。
【００８９】
作業者は、このカラーコレクションテーブルのプロパティ画面１Ｆにおいて、キーボード等の操作により、例えば、グループ設定項目１Ｆａにおいて、“Ｃｌｉｅｎｔ  Ａ（コート・白地無）”とグループ設定して、色名称設定項目１Ｆｃにおいて、“Ｃｙａｎ”、“Ｍａｇｅｎｔａ”、“Ｙｅｌｌｏｗ”、“Ｂｌａｃｋ”、“ＤＩＣ００１Ｏｒａｎｇｅ”、“Ｐｉｎｋ”と各色版の色名称を設定して、ＯＫ項目１Ｆｄを選択することで、その設定内容を確定する。
【００９０】
このような作業を行うことにより、カラーコレクションテーブルの設定、即ち、当該カラーコレクションテーブルのグループ設定、及び、当該カラーコレクションテーブルの対象とする各色版の色名称の設定が行われる。これを繰り返し行うことで、全てのカラーコレクションテーブルの対象とする各色版の色版名称の設定が完了する。
【００９１】
作業者は、次に、グループ指定部２１により、ホットフォルダを作成する作業を行う。尚、グループ指定部２１は、ＣＰＵ等の演算手段と、所定の演算プログラムを記憶するメモリ等の記憶手段からなり、後述する種々の画面表示に関する処理、及び、グループの指定に関する処理を行う。因みに、これら演算手段及び記憶手段は、第１の制御構成部におけるＣＰＵ１０１及びＲＯＭ１０３にて構成しても良い。また、後述する種々の設定操作は、キーボードやマウス等の一般的な入力手段を用いて行われる。また、後述する種々の画面は、モニタ等の一般的な表示手段により構成される表示部において表示される。因みに、これらの操作及び表示は、第１の制御構成部におけるタッチパネル４２において行われる構成としても良い。
【００９２】
上述したように、表示部には、通常、プリンタコントローラメイン画面１Ａが表示されている（図４参照）。作業者は、このプリンタコントローラメイン画面１Ａにおいて、キーボード等の操作により、ホットフォルダ項目１Ａｂを選択することで、図６に示すホットフォルダ編集画面１Ｊを表示する。
【００９３】
作業者は、さらに、このホットフォルダ編集画面１Ｊにおいて、キーボード等の操作により、テンプレート項目１Ｊｄの編集項目を選択することで、同図に示すテンプレート画面１Ｋを表示する。
【００９４】
作業者は、このテンプレート画面１Ｋにおいて、キーボード等の操作により、例えば、出力機項目１Ｋｂにおいて、当該装置の名称である“ＤｉｇｉｋｏｎＰｒｏ”と設定して、出力解像度項目１Ｋｃにおいて、“２４００”と設定して、出力フォーマット項目１Ｋｄにおいて、“Ｐａｃｋ１６ｘ”と設定して、網形状項目１Ｋｅにおいて、“ｓｑｕａｒｅ０１”と設定して、線数項目１Ｋｆにおいて、“１７５”と設定して、出力色版項目１Ｋｇにおいて、Ｃ／Ｍ／Ｙ／Ｋ／特色１／特色２の各網角度を設定して、保存項目１Ｋｈを選択することで、その設定内容を保存する。このような作業を行うことにより、ホットフォルダの設定が行われる。
【００９５】
作業者は、さらに、ホットフォルダ編集画面１Ｊのカラーコレクション選択項目１Ｊｅにおいて、例えば“ａａａ”と設定することで、当該ホットフォルダとａａａという名称のグループとを対応付ける。これを繰り返し行うことで、必要なホットフォルダの設定が完了する。
【００９６】
このような事前準備が行われた上で、画像データ編集端末３やＲＩＰ４から画像データが送信されると、当該ＤＣＰ作成装置２ａは、画像データＩ／Ｆ部２０１を介して、これを受信して、格納部２０は、その画像データの送信先である端末（画像データ編集端末３やＲＩＰ４）と対応付けられた所定のホットフォルダに、これを格納する。尚、画像データには、当該画像データを構成する各色版の色名称に関する情報が付加されており、この際に、画像データを構成する各色版の色名称が取得される。
【００９７】
次に、グループ／色版名称照合部２４は、画像データが格納されたホットフォルダに対応付けられるグループと、カラーコレクションテーブル記憶部２３に記憶されたカラーコレクションテーブル群のグループ群とを照合して、一致するグループに属するカラーコレクションテーブル群を抽出する。さらに、格納部２０において格納された画像データを構成する各色版の色名称と、抽出したカラーコレクションテーブル群が対象とする各色版の色名称とを照合して、互いの色名称が一致するカラーコレクションテーブルを抽出する。グループ／色版名称照合部２４は、さらに、特定されたカラーコレクションテーブルが、当該ホットフォルダと対応付けられた当該ＤＣＰ作成装置２ａのＬＵＴ部２０５において登録されているか否かを判断する。ここで、登録されていた場合には、そのカラーコレクションテーブルを指定するための信号を出力制御部２６に送信する。また、登録されていなかった場合には、特定されたカラーコレクションテーブルに関する情報を出力制御部２６に送信する。一方、画像データ解析加工部２５は、格納部２０において格納された画像データを解析加工して、色版別の画像ラスターデータを作成すると共に、その色版別の画像ラスターデータを出力制御部２６に送信する。
【００９８】
尚、格納部２０は、ＣＰＵ等の演算手段と、所定の演算プログラムを記憶するメモリ等の第１の記憶手段と、所定のフォルダ群を記憶するハードディスク等の第２の記憶手段からなり、上述した画像データの所定のホットフォルダへの格納処理を行う。因みに、これら演算手段及び記憶手段は、第１の制御構成部におけるＣＰＵ１０１、ＲＡＭ１０２及びＲＯＭ１０３にて構成しても良い。また、グループ／色版名称照合部２４は、ＣＰＵ等の演算手段と、所定の演算プログラムを記憶するメモリ等の記憶手段からなり、上述したグループの照合処理、各色版の色名称の照合処理、特定されたカラーコレクションテーブルに関する情報を出力制御部２６に送信する処理等を行う。因みに、これら演算手段及び記憶手段は、第１の制御構成部におけるＣＰＵ１０１及びＲＯＭ１０３にて構成しても良い。
【００９９】
（画像出力ステップ）
出力制御部２６は、この画像データ解析加工部２５から送信された色版別の画像ラスターデータと、グループ／色版名称照合部２４から送信されたカラーコレクションテーブルを指定するための信号、或いは、カラーコレクションテーブルに関する情報とをデータバッファ２０４に送信する。
【０１００】
データバッファ２０４では、１枚分のデジタル網点画像データが蓄積されると、これをＢ、Ｒ、Ｇの露光強度データに変換する。その際、画素毎に、各色版の網点画像データをＢ、Ｒ、Ｇのレーザ強度の組み合わせに変換する。
【０１０１】
さらに、制御部１００は、レーザ光の照射位置に感光材料の画像記録領域が存在する期間、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにＬＵＴデータの設定制御を行うことで、ドラムに保持される感光材料に対する網点画像の出力を行う。その結果、感光材料上、即ち、カラープルーフ上には、所定の画像が描画される。
【０１０２】
尚、画像データ処理部２１０の出力制御部２６、データバッファ２０４、ＬＵＴ部２０５、Ｄ／Ａ変換部２０６〜２０８、ドライバＤ３２０〜Ｄ３２２、ＬＥＤ３２０〜３２２を含み、本発明の「画像出力手段」を構成する。
【０１０３】
［プログラム及びこれを記憶する記録媒体］
尚、上述した画像出力システムを構成する制御装置１やＤＣＰ作成装置２等において行われる処理、具体的には、図３に示す（作成ステップ）〜（フォルダ／グループ対応付けステップ）、図７に示す（照合ステップ）〜（出力装置制御ステップ）、或いは、ＤＣＰ作成装置２における画像出力ステップに対応する処理を実行させるためのプログラムは、各々の装置に内蔵、若しくは、接続される記憶媒体（例えば、ＤＣＰ作成装置２のＲＯＭ１０３）に記録されており、同じく各々の装置に備えられた演算手段（例えば、ＤＣＰ作成装置２のＣＰＵ１０１）によって、これが読み出されて実行されるものとする。
【０１０４】
尚、上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【０１０５】
尚、以上に説明した実施形態は、本発明に係る画像出力システム、制御装置、画像出力装置、画像出力方法、その方法を実行させるためのプログラム、及び、そのプログラムを記憶した記憶媒体の好適な一実施形態を例示したものであり、その他の実施形態を除外するものではない。
【０１０６】
例えば、本実施形態においては、予め、個々のホットフォルダと個々のグループとを対応付けておき、格納部において画像データがホットフォルダに格納された際には、そのホットフォルダに対応付けられたグループに属するカラーコレクションテーブル群を抽出して、画像データを構成する各色版の色名称と、そのカラーコレクション群の各々が対象とする各色版の色名称とを照合する構成としたが、予め、ホットフォルダの各々とグループの各々とを対応付けておくことなく、格納部において画像データがホットフォルダに格納された際には、カラーコレクション記憶部に記憶される全てのカラーコレクションテーブル群の各々が対象とする各色版の色名称と、画像データを構成する各色版の色名称とを照合する構成としても良い。
【０１０７】
【発明の効果】
以上に説明したように、本発明に係る画像出力システム、制御装置、画像出力装置、画像出力方法、その方法を実行させるためのプログラム、及び、そのプログラムを記憶した記憶媒体によれば、画像データに含まれる各色の組み合わせと複数のカラーコレクションテーブルとの照合作業を自動的に行うことで、作業者の手間を大幅に削減することができる。
【図面の簡単な説明】
【図１】本発明に係る画像出力システムの一実施形態におけるシステム構成を表す構成図である。
【図２】図１に示す画像出力システムの制御装置の詳細構成を表すブロック図である。
【図３】図２に示す制御装置における事前準備の一連の流れを説明するフローチャートである。
【図４】図２に示す制御装置の表示部において表示される種々の画面の流れについて説明するための説明図である。
【図５】カラーコレクションテーブルの構成を表す構成図である。
【図６】図２に示す制御装置の表示部において表示される種々の画面の流れについて説明するための説明図である。
【図７】図２に示す制御装置における一連の処理の流れを説明するフローチャートである。
【図８】図１に示す画像出力システムのＤＣＰ作成装置の外観を表す構成図である。
【図９】図８に示すＤＣＰ作成装置の制御構成を表すブロック図である。
【図１０】図１に示す画像出力システムの他の実施形態におけるシステム構成を表す構成図である。
【図１１】図１０に示す画像出力システムのＤＣＰ作成装置の詳細構成を表すブロック図である。
【図１２】図１０に示す画像データ処理部の詳細構成を表すブロック図である。
【符号の説明】
１  制御装置
１０  格納部
１１  グループ指定部
１２  カラーコレクション作成部
１２ａ  色版名称登録部
１２ｂ  グループ設定部
１３  カラーコレクション記憶部
１４  グループ／色版名称照合部
１５  画像データ解析加工部
１６  ＤＣＰ作成装置制御部
２  ＤＣＰ作成装置
【図１】
2004336122.tif 000003
【図２】
2004336122.tif 000004
【図３】
2004336122.tif 000005
【図４】
2004336122.tif 000006
【図５】
2004336122.tif 000007
【図６】
2004336122.tif 000008
【図７】
2004336122.tif 000009
【図８】
2004336122.tif 000010
【図９】
2004336122.tif 000011
【図１０】
2004336122.tif 000012
【図１１】
2004336122.tif 000013
【図１２】
2004336122.tif 000014